【事件の表示】
　平成６年特許願第３４２８４号「画像形成装置」拒絶査定不服審判事件〔平成７年８月１８日出願公開、特開平７−２１９２９８〕について、次のとおり審決する。
【結　論】
　本件審判の請求は、成り立たない。
【理　由】
１．手続の経緯・本願発明 
 　本願は、平成６年２月８日の出願であって、その各請求項に係る発明は、平成１７年５月１３日付け手続補正書により補正された明細書の記載からみて、その特許請求の範囲の請求項１〜５に記載されたとおりのものと認められ、そのうち、請求項１に係る発明は次のとおりである。 
 「【請求項１】
　原稿面を露光走査し、画像情報をデジタル信号化する画像読み取り部と、前記画像読み取り部によってデジタル化されたデジタル画像信号に基づいてトナー像を形成し、記録媒体に転写・定着するトナー像形成部とを有する画像形成装置において、
　前記トナー像形成部が、上部に排出用紙受け部を有し、床面で支持される第１のハウジング内に収納され、
　前記画像読み取り部が、前記第１のハウジングから独立して床面で支持される支持部材を介して設置される第２のハウジング内に収容されているとともに、
　前記第１のハウジングと前記支持部材とは相対的に移動した位置に配置可能であって、移動した位置に配置した場合においても前記トナー像形成部及び前記画像読み取り部は動作可能な状態であること
　を特徴とする画像形成装置。」（以下、「本願発明」という。） 
 　 
 ２．刊行物の記載事項 
２−１．刊行物１について
　平成１７年３月１５日付けの拒絶の理由に引用され、本願出願前に頒布された特開平２−１６５３１８号公報（以下「刊行物１」という。）には、
〔１ａ〕「（１）画像データを送出するコントローラと前記コントローラから送出される画像データに基づいて記録動作を行うプリンタ等の記録装置との間に接続される中継装置であって、
　前記中継装置は、前記記録装置に対して特定の機能を付加するとともに前記コントローラと前記記録装置が直接接続された時と同様の動作が行える様前記コントローラ及び前記記録装置に対して各種信号を送出する様に構成したことを特徴とするプリンタ等の中継装置。
（２）前記特定の機能とは、前記記録装置が本来装着する記録紙の収納部より大容量の収納部を前記記録装置に装着させる機能であることを特徴とする特許請求の範囲第１項記載のプリンタ等の中継装置。」（特許請求の範囲）、 
〔１ｂ〕「第７図は本発明が適用できるレーザフアクシミリの概観図であり、第８図は第７図に示したレーザフアクシミリの概略的な回路構成を示したものである。第７図，第８図のレーザフアクシミリは機能上他のフアクシミリからの画像信号を受信したり、原稿を読み取り画像信号を送信するスキヤナコントローラユニツト１０と、スキヤナコントローラユニツト１０が受信したり読み取った画像信号に基づいて記録紙上に記録動作を行うプリンタユニツト９とに分けられる。尚、プリンタユニツト９としては周知のレーザビームプリンタを使用することができる。
　又、スキヤナコントローラユニツト１０とプリンタユニツト９は別筺体であり、ケーブルを介して接続されている。図中１はジヤム解除用のトツプカバー、２は原稿幅を合わせるためのスライダ、３は原稿台、４は原稿台カバー、５は原稿トレイ、６は電話器、７は操作パネル、８はペデイスタル、９ａはカセツト、９ｂは排紙トレイである。又、第８図中２１は操作部であり操作パネル７が含まれる。２２は伝送制御部、２３は中央制御部、２４は読み取り部、２５はプリンタインタフエース制御部で、２１〜２５でスキヤナコントローラユニツトを構成している。又、２６はプリンタユニツト側のインタフェース制御部、２７はプリンタ制御部で、２６，２７でプリンタユニツト９を構成している。
　動作概要としては、操作部２１でコピーモードあるいは送信モードの設定操作を行う。又、読み取り部２４で原稿を読み取って得られた画像データは中央制御部２４により、送信モードの場合は伝送制御部２２を通して回線に出力され、コピーモードの場合はプリンタインタフエース制御部２５を通してプリンタユニツト９へ出力される。・・・
　上記構成において、後述する中継装置をスキャナコントローラユニツト１０とプリンタユニツト９との間に接続することにより、以下の機能を追加することが可能となる。
（１） 二種類のサイズの記録紙を給紙可能とする。
（２） カセツト９ａの給紙容量よりも大容量の給紙を可能とする。
（３） 排紙位置をペデイスタル８の外部に配置し排紙容量を増やす。
　本実施例の中継装置は、スキヤナコントローラユニツト１０のプリンタインタフエース制御部のハードウエア及びソフトウエア仕様を変更することなく、かつプリンタユニツト９のインタフエース制御部のハードウエア及びソフトウエア仕様も変更することなく、上記（１），（２），（３）の機能を追加することができる。」（２頁左上欄１３行〜同頁右下欄８行）、
〔１ｃ〕「以下、本実施例の中継装置について詳述する。
　第１図は中継装置（プリンタ中継ユニツトとも称す）を接続したレーザフアクシミリの概略図である。・・・尚、第７図，第８図と同様の機能を有するものについては同じ符号を付けた。・・・第１図の構成は第７図に対して搬送ガイド３０の排紙ユニツト３１と外部のカセツト給紙機構３２、ペーパーデツキ給紙機構３３を追加している。・・・
　４４は搬送ガイド開閉センサで、搬送ガイド３０がプリンタユニツト９に接して装着されているときオンとなり、プリンタユニツト９より上方向にはね上って装着状態でないときオフとなる。プリンタ中継制御部３６においては搬送ガイド開閉センサオフ時、排紙ジヤムセンサ４３によるジヤム検出を行わず、排紙モータ４２の駆動も行わない。この場合、排出された記録紙はプリンタユニツト９の上面に積載される。」（２頁右下欄９行〜３頁右下欄１３行）、
〔１ｄ〕「又、第１図の排紙ユニツト３１の排紙トレイ部は、本実施例では１段であるが、他に排紙容量を大容量化した構成、あるいは多段ソータ等の拡張を行っても良い。
　尚、本実施例ではレーザフアクシミリを例として説明したが、本発明は複写機等の他の記録装置にも適用することが可能である。又、スキヤナコントローラユニツトのかわりにパソコン等を中継装置と接続する構成としても良い。」（５頁左上欄１４行〜同頁右上欄３行）が記載され、　
〔１ｅ〕刊行物１の第７図（中継装置が接続できるレーザフアクシミリの概観図）（編集の便宜から文末に収載。）には、直方体形状で、前扉、中間棚板を備える「床面走行キャスタ付きのペディスタル８」、その上に載置される「スキヤナコントローラユニツト１０」、その中間棚板に載置される「プリンタユニツト９」などからなるレーザフアクシミリが示され、
〔１ｆ〕刊行物１の第１図には、第７図のものに中継装置を接続した、実施例のレーザフアクシミリの概観図
　が示されている。
　　
２−２．刊行物２について
　同じく実願昭５８−７９８２２号（実開昭５９−１８７８３４号）のマイクロフィルムには、
〔２ａ〕「設置場所が移動可能なワゴンと、前記ワゴンと機械的に分割されたキャビネットとを備えたことを特徴とするパーソナルコンピュータ収納机。」（実用新案登録請求の範囲）、
〔２ｂ〕「本考案の目的は、縦空間を利用し省スペースを計り操作性にも勝れたパーソナルコンピュータ用収納机を提供することにある。
　本考案は、設置場所が移動可能なワゴンと、前ワゴンと機械的に分割されたキャビネットとを備えたことを特徴とするパーソナルコンピュータ収納机にある。
　次に本考案の実施例について図面を参照して詳細に説明する。第１図は本考案の一実施例のパーソナルコンピュータ収納机を示す側面図、第２図は第１図のパーソナルコンピュータ収納机の正面図、第３図は第２図のパーソナルコンピュータ収納机のキャビネットを引き出した状態を示す正面図である。・・・フロッピーディスク４とプリンタ５とは縦空間を利用した分割キャビネット６に収納されている。机本体部７は、ワゴンタイプとし、キャスタに依り設置場所の移動を可能としている。また第３図のように、キャビネット ６もキャスタ付であるので配置が自由であり、プリンタ５を上置きにして操作性を更に高めて使用する事も可能である。
　本考案によれば、以上のように、パーソナルコンピュータ本体部と表示部とタブレットとを収納できる棚をもつワゴンと、その下部にフロッピーディスクとプリンタを収納し机本体部(ワゴン)と分割可能なキャビネットとをもつワゴンタイプの机にする事で、設置場所を移動する事ができ、省スペースと操作性をよくすることができるという効果が得られる。」（考案の詳細な説明欄）が記載され、
〔２ｃ〕刊行物２の第２図（パーソナルコンピュータ収納机の正面図）には、上部にＣＲＴ表示部を載置し、中間棚板上にパーソナルコンピュータ本体部１、タブレット等を収納し、中間棚板の下側には前面開放の空洞がある、キャスタ付きワゴンタイプの「パーソナルコンピュータ収納机本体７」、
　机本体７の半分程度の高さと、ひとまわり小さいサイズの直方体形状で、机本体７の中間棚板の下側の空洞に填り込んで、縦空間を利用した省スペースの配置とされ、「プリンタ５」等を収納する、キャスタ付き「分割キャビネット６」が示され、
〔２ｄ〕刊行物２の第３図（パーソナルコンピュータ収納机のキャビネットを引き出し脇机として使用している状態を示す正面図）には、上部にＣＲＴ表示部を載置し、中間棚板上にパーソナルコンピュータ本体部１、タブレット等を収納し、中間棚板の下側には前面開放の空洞がある、キャスタ付きワゴンタイプの「パーソナルコンピュータ収納机本体７」、
　机本体７の中間棚板の下側の空洞から引き出され、脇机の配置とされ、収納する「プリンタ５」が上置きされた、キャスタ付き「分割キャビネット６」、
  キャスタ付き「分割キャビネット６」に上置きされ、正面右端上にペーパーフィード等に係るハンドル様突起を備える「プリンタ５」、
が示されている。
　
 ３．対比、判断 
３−１．刊行物１記載の発明について
　刊行物１に記載の発明を対比のため、前掲２−１．〔１ａ〕〜〔１ｆ〕の摘示事項及び文末に収載の刊行物１の図面をもとにまとめると、以下のとおりである。
　「操作部２１，伝送制御部２２，中央制御部２３，読み取り部２４，プリンタインタフエース制御部２５などからなるスキヤナコントローラユニツト１０、及び、
　読み取り部２４で原稿を読み取って得られた画像データをケーブルを介して受け取りレーザプリントするプリンタユニツト９、
　からなるレーザフアクシミリであって、
　プリンタユニット９を収納し、搬送ガイド３０非装着時等に排出記録紙を積載する上面を備え、床面走行キャスタ付きのペディスタル８の中間棚板に載置される第１の筺体、及び、
　該ペディスタル８の上部に載置され、スキャナコントローラユニット１０を収容する、第２の筺体を有し、
  該プリンタユニット９は、該ペディスタル８の中間棚板上にケーブル接続の単体で載置される状態の他、
　それ自体のハードウエア仕様の変更無く、搬送ガイド等と接続して排紙位置を該ペディスタル８の外部にしたり、外部カセット給紙機構と接続して給紙容量を拡大したり、多段ソータと接続して機能拡張するなどの設置が可能に構成されているもの。」（〔１ａ〕〜〔１ｆ〕参照）
３−２．対比
　以下、本願発明と、刊行物１記載の発明とを対比する。
〔ア〕後者の「操作部２１，伝送制御部２２，中央制御部２３，読み取り部２４，プリンタインタフエース制御部２５などからなるスキヤナコントローラユニツト１０」は、前者の「原稿面を露光走査し、画像情報をデジタル信号化する画像読み取り部」に相当する。（〔１ｂ〕参照）
〔イ〕後者の「読み取り部２４で原稿を読み取って得られた画像データをケーブルを介して受け取りレーザプリントするプリンタユニツト９」は、前者の「画像読み取り部によってデジタル化されたデジタル画像信号に基づいてトナー像を形成し、記録媒体に転写・定着するトナー像形成部」に相当する。（〔１ｂ〕参照）
〔ウ〕後者の「原稿を読み取り画像信号を送信するスキヤナコントローラユニツト１０と、スキヤナコントローラユニツト１０が受信したり読み取った画像信号に基づいて記録紙上に記録動作を行うプリンタユニツト９とからなるレーザフアクシミリ」は、前者の「画像読み取り部と、トナー像形成部とを有する画像形成装置」に相当する。（〔１ｂ〕参照）
〔エ〕後者の「スキヤナコントローラユニツト１０とは別に独立して、プリンタユニット９を収納し、搬送ガイド３０非装着時等に排出記録紙を積載する上面を備えた筺体」は、前者の「上部に排出用紙受け部を有し、トナー像形成部を収納する第１のハウジング」に相当する。（〔１ｂ〕、〔１ｃ〕参照）
〔オ〕後者の「床面走行キャスタ付きのペディスタル８」は、前者の「床面で支持される支持部材」に相当する。（〔１ｅ〕、〔１ｆ〕参照）
〔カ〕後者の「床面走行キャスタ付きのペディスタルの上部に載置され、スキャナコントローラユニットを収容する、プリンタユニット９とは別の筺体」は、前者の「第１のハウジングから独立して床面で支持される支持部材を介して設置され、画像読み取り部を収容する第２のハウジング」に相当する（〔１ｂ〕、〔１ｃ〕参照）。
〔キ〕後者の「プリンタユニット９を収納する筺体」は、「床面走行キャスタ付きのペディスタル」の中間棚板に単体で載置される状態の他、自体のハードウエア仕様変更無く、搬送ガイド等を接続して排紙位置を「ペディスタル８」の外部にしたり、外部カセット給紙機構と接続して給紙容量を拡大したり、多段ソータを接続して機能拡張できると記載され、それら外部付加機器との接続の便宜などからして、「プリンタユニット９」と「ペディスタル８」との相対的配置関係は固定されずフレキシブルであると解されるから、前者の「第１のハウジングと前記支持部材とは相対的に移動した位置に配置可能であって、移動した位置に配置した場合においても前記トナー像形成部及び前記画像読み取り部は動作可能な状態であること」は、後者でも同様な状態にあるといえる。（〔１ａ〕〜〔１ｆ〕参照）、
　〔ア〕〜〔キ〕の検討から、本願発明と、刊行物１記載の発明との両者は、
「原稿面を露光走査し、画像情報をデジタル信号化する画像読み取り部と、前記画像読み取り部によってデジタル化されたデジタル画像信号に基づいてトナー像を形成し、記録媒体に転写・定着するトナー像形成部とを有する画像形成装置において、
　前記トナー像形成部が、上部に排出用紙受け部を有し、第１のハウジング内に収納され、
　前記画像読み取り部が、前記第１のハウジングから独立して床面で支持される支持部材を介して設置される第２のハウジング内に収容されているとともに、
　前記第１のハウジングと前記支持部材とは相対的に移動した位置に配置可能であって、移動した位置に配置した場合においても前記トナー像形成部及び前記画像読み取り部は動作可能な状態である画像形成装置。」で一致し、
  トナー像形成部を収納する第１のハウジングについて、前者が「床面で支持される」と規定しているのに対して、後者が特に規定せず、「床面走行キャスタ付きのペディスタル」の中間棚板に載置される例を示している点（〔１ｅ〕、〔１ｆ〕参照）でのみ相違する。
　
３−３．相違点について
 　上記相違点について検討する。 
 　刊行物２には、パーソナルコンピュータとプリンタ等周辺機器とを利用しやすくまとめて収納する「パーソナルコンピュータ収納机」に関して、ケーブルを介して画像データを受け取り印字出力するプリンタを、机本体の下側に収まる低い高さで一回り小さく、床面で支持される「分割キャビネット」に収納することにより、省スペース配置が可能であり、さらに、その「分割キャビネット」を引き出して脇机型配置とし、プリンタを上置きにして、排出用紙受け部を開放された上部にすると、「操作性を更に高めて使用することも可能」としたものが示されている。（〔２ａ〕〜〔２ｄ〕参照）
  そもそも、刊行物１には、「パソコンとプリンタユニットとからなる画像記録装置」も含めた画像記録装置全般について、プリンタ排紙の操作性改良などを進めることが記載されているのであるから（〔１ｄ〕参照）、同じ機器の同じ課題に係る刊行物２の記載内容を参酌して、プリンタユニット、即ち、トナー像形成部を、刊行物２記載のような小型の床面で支持される別体のハウジングに収納するようになすことは、当業者にとって容易になし得ることと認められる。
　そして、本願発明の、排紙の取り出し易さや確認し易さ、操作性の向上、機器配置の可変性などの効果は、いずれも刊行物１ないし２記載のものから予測できるものであって、本願発明の作用効果は格別顕著なものとは認められない。 
　
 ４．むすび 
 　以上のとおり、本願発明は、刊行物１及び２に記載された発明に基いて当業者が容易に発明をすることができたものであるから、特許法第２９条第２項の規定により特許を受けることができないものであり、他の請求項に係る発明について検討するまでもなく、本願は拒絶すべきものである。 
 　よって、結論のとおり審決する。 
　
《以下、図面〔１ｅ〕刊行物１の第７図を収載。》